(57)【特許請求の範囲】
【請求項１】
建物の上下に位置する上部構造と下部構造との間に介装され、前記上部構造に免震性能をもたせる免震支持ジャッキ装置であって、
前記上部構造に着脱可能に固定されるとともに、第１水平方向に沿って滑り自在な上部滑り部と、
前記下部構造に着脱可能に固定されるとともに、前記第１水平方向に直交する第２水平方向に沿って滑り自在な下部滑り部と、
一端が前記上部滑り部に固定され、他端が前記下部滑り部に固定されて上下方向に伸縮する支持ジャッキと、
を備えたことを特徴とする免震支持ジャッキ装置。
【請求項２】
前記上部滑り部は、前記上部構造に固定され延在方向を前記第１水平方向に向けて配置される第１案内レールと、該第１案内レールに沿って摺動する第１摺動ブロックと、を備え、
前記下部滑り部は、前記下部構造に固定され延在方向を前記第２水平方向に向けて配置される第２案内レールと、該第２案内レールに沿って摺動する第２摺動ブロックと、を備えていることを特徴とする請求項１に記載の免震支持ジャッキ装置。
【請求項３】
前記上部構造は、Ｈ形鋼からなる梁材であって、
前記上部滑り部は、前記梁材の下フランジに対して摩擦接合治具により着脱可能に固定されていることを特徴とする請求項１又は２に記載の免震支持ジャッキ装置。
【請求項４】
前記摩擦接合治具は、
前記梁材の下フランジの上面に当接し、かつ前記梁材のウェブの両側に第１スペーサを介して当接する一対のＬ形添接板と、
前記Ｌ形添接板および前記上部滑り部を第２スペーサを介挿させた状態で締め付ける高力ボルトと、を有し、
前記一対のＬ形添接板同士が前記ウェブを挟んでボルト接合されていることを特徴とする請求項３に記載の免震支持ジャッキ装置。
【請求項５】
前記下部滑り部と前記下部構造との間に介在され、前記上部構造の下面と平行な上面を有するレベル調整板が設けられていることを特徴とする請求項１乃至４のいずれか１項に記載の免震支持ジャッキ装置。
【請求項６】
請求項１乃至５のいずれか１項に記載の免震支持ジャッキ装置を用い、前記上部構造と前記下部構造との間に設けられている既設の免震装置を交換するための免震装置の交換方法であって、
前記既設の免震装置の周囲に前記免震支持ジャッキ装置を配置し、前記下部滑り部を前記下部構造に固定する工程と、
前記支持ジャッキを伸張させて前記上部滑り部を前記上部構造に当接させ、前記上部構造の荷重を負担する工程と、
前記上部構造に前記上部滑り部を固定する工程と、
前記既設の免震装置を前記上部構造と前記下部構造の間から取り外す工程と、
別の免震装置を前記上部構造と前記下部構造の間の取付部分に固定する工程と、
前記免震支持ジャッキ装置を前記上部構造と前記下部構造の間から取り外す工程と、
を有することを特徴とする免震装置の交換方法。
【発明の詳細な説明】
【技術分野】
【０００１】
本発明は、免震支持ジャッキ装置および免震装置の交換方法に関する。
【背景技術】
【０００２】
従来、免震建物に採用されている免震装置として、ゴム材料からなる弾性体と鋼板とを交互に積層した積層ゴムが知られている。このような積層ゴムから構成される免震装置は、例えば建物の基礎（下部構造）と、この基礎上に構築される建物本体（上部構造）との間に介装され、地震による水平力が入力されたときには、積層ゴムが水平方向に変形することでその外力の構造物本体への伝達を軽減し、建物本体の揺れを抑えるようになっている。
【０００３】
このような免震装置を備えた建物では、定期的に免震装置を点検し、必要な場合には交換しているのが一般的である。そして、免震装置を交換する際には、例えば特許文献１に示すようなオイルジャッキを用いて下方から梁などの上部構造を持ち上げた状態で、上部構造と下部構造との間に介装されている免震装置を取り外し、新たな免震装置を設置する作業が行われている。
【先行技術文献】
【特許文献】
【０００４】
【特許文献１】特開２００６−２００３６１号公報
【発明の概要】
【発明が解決しようとする課題】
【０００５】
しかしながら、従来の免震装置の交換作業では、ジャッキで支持している部分が水平力に対して剛であるため、上部構造に地震による水平力が伝わってしまう問題があった。そのため、免震装置の交換中においても水平力が上部構造に伝わりにくい支持方法とすることが求められていた。ところが、このような支持機構を構築することが難しく、しかも免震装置の交換作業が行われる短期間のみの設置となることから、地震力は考慮しないものと設定して、とくに水平力に対する対策がとられない場合が多くなっていた。
【０００６】
本発明は、上述する問題点に鑑みてなされたもので、免震支承部分で水平力を負担させることなく作業を行うことができ、建物の免震性能を維持した状態で免震装置の交換作業を行うことができる免震支持ジャッキ装置および免震装置の交換方法を提供することを目的とする。
【課題を解決するための手段】
【０００７】
上記目的を達成するため、本発明に係る免震支持ジャッキ装置は、建物の上下に位置する上部構造と下部構造との間に介装され、前記上部構造に免震性能をもたせる免震支持ジャッキ装置であって、前記上部構造に着脱可能に固定されるとともに、第１水平方向に沿って滑り自在な上部滑り部と、前記下部構造に着脱可能に固定されるとともに、前記第１水平方向に直交する第２水平方向に沿って滑り自在な下部滑り部と、一端が前記上部滑り部に固定され、他端が前記下部滑り部に固定されて上下方向に伸縮する支持ジャッキと、を備えたことを特徴としている。
【０００８】
また、本発明に係る免震装置の交換方法は、上述した免震支持ジャッキ装置を用い、前記上部構造と前記下部構造との間に設けられている既設の免震装置を交換するための免震装置の交換方法であって、前記既設の免震装置の周囲に前記免震支持ジャッキ装置を配置し、前記下部滑り部を前記下部構造に固定する工程と、前記支持ジャッキを伸張させて前記上部滑り部を前記上部構造に当接させ、前記上部構造の荷重を負担する工程と、前記上部構造に前記上部滑り部を固定する工程と、前記既設の免震装置を前記上部構造と前記下部構造の間から取り外す工程と、別の免震装置を前記上部構造と前記下部構造の間の取付部分に固定する工程と、前記免震支持ジャッキ装置を前記上部構造と前記下部構造の間から取り外す工程と、を有することを特徴としている。
【０００９】
本発明では、上部構造と下部構造との間に免震支持ジャッキ装置を介装させ、上部構造に上部滑り部を固定し、下部構造に下部滑り部を固定するとともに支持ジャッキを伸張させることで、当該免震支持ジャッキ装置で上部構造の荷重が支持される。このとき、地震による水平力は上部滑り部および下部滑り部による水平２方向の滑りにより吸収され、免震支持ジャッキ装置によって上部構造に免震性能をもたせることができる。しかも、支持ジャッキでの水平抵抗力を小さく抑えることが可能となる。
したがって、交換する免震装置の近傍に免震支持ジャッキ装置を配置し、上部構造の荷重を支持することで、免震装置を上部構造と下部構造との間から取り外した状態でも、上部構造の免震性能は免震支持ジャッキ装置によって維持されることになる。つまり、上部構造と下部構造との間に介在される免震装置を交換する際に地震が発生しても、上部構造は免震支持ジャッキ装置によって免震された状態であり、免震装置が配置される支承部分で地震の水平力を負担することがなく交換作業を行うことができる。
さらに、免震支持ジャッキ装置を上部構造と下部構造との間で簡単に着脱することが可能となるので、作業効率を向上させることができ、交換作業時間の短縮を図ることができる。
【００１０】
また、本発明に係る免震支持ジャッキ装置は、前記上部滑り部は、前記上部構造に固定され延在方向を前記第１水平方向に向けて配置される第１案内レールと、該第１案内レールに沿って摺動する第１摺動ブロックと、を備え、前記下部滑り部は、前記下部構造に固定され延在方向を前記第２水平方向に向けて配置される第２案内レールと、該第２案内レールに沿って摺動する第２摺動ブロックと、を備えていることが好ましい。
【００１１】
このような構成とすることで、地震時には、上部滑り部において第１案内レールに第１摺動ブロックが案内されて第１水平方向に滑り、かつ下部滑り部において第２案内レールに第２摺動ブロックが案内されて第２水平方向に滑ることで水平２方向の滑りが生じるため、地震時の水平力が上部構造に伝わらず、免震性能を確保することができる。
【００１２】
また、本発明に係る免震支持ジャッキ装置は、前記上部構造は、Ｈ形鋼からなる梁材であって、前記上部滑り部は、前記梁材の下フランジに対して摩擦接合治具により着脱可能に固定されていてもよい。
【００１３】
さらに、本発明に係る免震支持ジャッキ装置は、前記摩擦接合治具は、前記梁材の下フランジの上面に当接し、かつ前記梁材のウェブの両側に第１スペーサを介して当接する一対のＬ形添接板と、前記Ｌ形添接板および前記上部滑り部を第２スペーサを介挿させた状態で締め付ける高力ボルトと、を有し、前記一対のＬ形添接板同士が前記ウェブを挟んでボルト接合されていることが好ましい。
【００１４】
本発明では、上述したように免震支持ジャッキ装置によって地震時の水平支持力が伝わりにくい構造となり、上部構造に免震性能をもたせることが可能となるため、上部滑り部を梁材の下フランジに対して簡単な構造の摩擦接合治具を用いた摩擦接合によって固定することができる。
【００１５】
また、本発明に係る免震支持ジャッキ装置は、前記下部滑り部と前記下部構造との間に介在され、前記上部構造の下面と平行な上面を有するレベル調整板が設けられていてもよい。
【００１６】
この場合には、下部構造上に設けられるレベル調整板の上面が上部構造の下面と平行になるので、第１水平方向に滑り可能な上部滑り部と第２水平方向に滑り可能な下部滑り部とがそれぞれ平行に設置することができる。つまり、下部構造の上面が水平レベルでない場合であっても、下部滑り部を第２水平方向に沿って水平レベルとなるように配置することができる。
【発明の効果】
【００１７】
本発明の免震支持ジャッキ装置および免震装置の交換方法によれば、免震支承部分で水平力を負担させることなく作業を行うことができ、建物の免震性能を維持した状態で免震装置の交換作業を行うことができる。
【図面の簡単な説明】
【００１８】
【図１】本発明の実施の形態による免震装置の交換方法を示す側面図である。
【図２】図１に示す免震支持ジャッキ装置の概略構成を示す斜視図である。
【図３】免震支持ジャッキ装置を梁材と基礎スラブとの間に取り付けた状態を示す側面図であって、第２水平方向から見た示す図である。
【図４】免震支持ジャッキ装置を梁材と基礎スラブとの間に取り付けた状態を示す側面図であって、第１水平方向から見た図である。
【図５】リニアスライダの平面図であって、（ａ）は図３に示すＡ−Ａ線矢視図で上部リニアスライダを下方から見た図、（ｂ）は図３に示すＢ−Ｂ線矢視図で下部リニアスライダを上方から見た図である。
【図６】（ａ）〜（ｄ）は、免震装置の交換手順を示す図である。
【図７】変形例による免震支持ジャッキ装置を梁材と基礎スラブとの間に取り付けた状態を示す側面図であって、図３に対応する図である。
【発明を実施するための形態】
【００１９】
以下、本発明の実施の形態による免震支持ジャッキ装置および免震装置の交換方法について、図面に基づいて説明する。
【００２０】
図１に示すように、本実施の形態による免震支持ジャッキ装置３は、建物１に設けられている免震ゴムを使用した免震装置２を交換する際に用いられる。建物１は、最下層のＨ形鋼からなる梁材１０（上部構造）下に複数の免震装置２を備え、これら複数の免震装置２によって建物１の荷重をもたせている。具体的には、梁材１０に接合される柱材１２と基礎スラブ１１（下部構造）との間に配置されている。ここで、本実施の形態では、梁材１０および柱材１２が上部構造を構成している。
【００２１】
免震装置２は、円板状の上部フランジ２１と下部フランジ２２との間に介挿される積層ゴム２３からなる。積層ゴム２３は、鋼板とゴムシートとを交互に積層させたものである。
【００２２】
免震支持ジャッキ装置３は、図２乃至図４に示すように、免震装置２の交換作業を行う際に、建物１の上下に位置する梁材１０と基礎スラブ１１との間に介装され、上部構造に免震性能をもたせるものである。
免震支持ジャッキ装置３は、梁材１０に着脱可能に固定されるとともに、第１水平方向Ｘに沿って滑り自在な上部リニアスライダ４（上部滑り部）と、基礎スラブ１１に着脱可能に固定されるとともに、第１水平方向Ｘに直交する第２水平方向Ｙに沿って滑り自在な下部リニアスライダ５（下部滑り部）と、一端が上部リニアスライダ４に固定され、他端が下部リニアスライダ５に固定されて上下方向に伸縮する支持ジャッキ６と、を備えている。
【００２３】
上部リニアスライダ４は、図５（ａ）に示すように、梁材１０の下フランジ１０Ａに摩擦接合治具７を用いて固定される上板４１と、上板４１の下面に固定され延在方向（長手方向）を第１水平方向Ｘに向けて配置される上部リニアレール４２（第１案内レール）と、上部リニアレール４２に沿って摺動する上部リニアブロック４３（第１摺動ブロック）と、を備えている。
ここで、上部リニアスライダ４の長手方向（第１水平方向Ｘ）は梁材１０の長手方向に一致している。
【００２４】
下部リニアスライダ５は、図５（ｂ）に示すように、基礎スラブ１１にアンカーボルト等を用いて後述するレベル調整板８（図４参照）を介して固定される下板５１と、下板５１の上面に固定され延在方向（長手方向）を第２水平方向Ｙに向けて配置される下部リニアレール５２（第２案内レール）と、下部リニアレール５２に沿って摺動する下部リニアブロック５３（第２摺動ブロック）と、を備えている。
【００２５】
上部リニアブロック４３および下部リニアブック５３は、それぞれ複数のボールベアリング（図示省略）が内装されており、これらボールベアリングを介して上部リニアレール４２および下部リニアレール５２に案内されてスライド自在に係合している。
【００２６】
図３および図４に示すように、支持ジャッキ６は、上部リニアスライダ４と下部リニアスライダ５とが互いに近接離反する方向に相対的に移動させる伸縮ロッド６１を備えている。つまり、免震支持ジャッキ装置３が設置されたときに、上下方向に伸縮ロッド６１が伸縮するように設けられている。
【００２７】
また、免震支持ジャッキ装置３には、下部リニアスライダ５と基礎スラブ１１との間に介在され、梁材１０の下フランジ１０Ａの下面１０ａと平行な上面８ａを有するレベル調整板８が設けられている。
【００２８】
摩擦接合治具７は、上部リニアスライダ４を梁材１０の下フランジ１０Ａに対して着脱可能に摩擦接合により固定するものである。
具体的に摩擦接合治具７は、梁材１０の下フランジ１０Ａの上面１０ｂに当接し、かつ梁材１０のウェブ１０Ｂの両側に第１スペーサ７２を介して当接する一組のＬ形添接板７１と、Ｌ形添接板７１および上部リニアスライダ４の上板４１を第２スペーサ７３を介挿させた状態で締め付ける一対の高力ボルト７４と、を有している。一組のＬ形添接板７１、７１同士が梁材１０のウェブ１０Ｂを挟持した状態で複数（ここでは４本）のボルト７５によって締め付けられて接合されている。
また、一組のＬ形添接板７１は、第１水平方向Ｘに沿って複数組（ここでは３組）が所定の間隔をあけて配置されている。具体的には、一組のＬ形添接板７１、７１は、上板４１の長手方向で両側部分と中央部分の３箇所に設けられている。
【００２９】
Ｌ形添接板７１は、９０度折り曲げたＬ字形状をなし、一方の第１板面７１Ａが梁材１０のウェブ１０Ｂに対して第１スペーサ７２を介してボルト７５で取り外し可能に固定され、他方の第２板面７１Ｂが梁材１０の下フランジ１０Ａの上面１０ｂに当接した状態で第２スペーサ７３を挟持させて高力ボルト７４で取り外し可能に固定されている。
なお、本実施の形態において、第２スペーサ７３は、下フランジ１０Ａの高さ寸法（厚さ寸法）よりも少し大きい厚さ寸法に設定されている。
また、Ｌ形添接板７１の内角側には、Ｌ形添接板７１を補強するためのリブ７６が設けられている。
【００３０】
次に、免震支持ジャッキ装置３を用いた免震装置２の交換方法について、図面に基づいて説明する。ここでは、建物１に設置されている複数の既設の免震装置２に対して、１台の免震装置２ごとに交換を行う方法について説明する。
【００３１】
図６（ａ）に示すように、平面視で免震装置２を取り囲む２〜４本の梁材１０の下に複数の免震支持ジャッキ装置３を固定する。予め、免震装置２が配置されている免震空間にレベル調整板８（図３及び図４参照）が分離された状態の免震支持ジャッキ装置３を搬入しておく。
なお、免震支持ジャッキ装置３の設置位置として、免震装置２に近い箇所で、かつ１箇所の免震装置２に対して２〜３台の免震支持ジャッキ装置３を設置することが好ましいが、とくに免震支持ジャッキ装置３の数量に制限はない。例えば、隣り合う免震装置２、２同士の間隔が小さい場合には、双方の中間部分に免震支持ジャッキ装置３を配置してもよい。
【００３２】
先ず、図３及び図４に示すように、レベル調整板８を基礎スラブ１１上の所定位置に固定し、レベル調整板８の上面８ａを梁材１０の下フランジ１０Ａの下面１０ａと平行になるようにする。その後、固定したレベル調整板８上に下部リニアスライダ５の下板５１を固定することで免震支持ジャッキ装置３を配置する。
【００３３】
次に、図６（ｂ）に示すように、支持ジャッキ６の伸縮ロッド６１を伸張させて上部リニアスライダ４の上板４１（図３参照）を梁材１０の下フランジ１０Ａの下面１０ａに当接させ、さらに梁材１０をジャッキアップにより持ち上げて支持することで上部構造の荷重を免震支持ジャッキ装置３で負担する。これにより、既設の免震装置２には上部構造の荷重が作用していない状態となる。
【００３４】
次に、図３及び図４に示すように、摩擦接合治具７を使用して梁材１０に上部リニアスライダ４を固定する。つまり、一対のＬ形添接板７１、７１のそれぞれの第１板面７１Ａを梁材１０のウェブ１０Ｂに対して第１スペーサ７２を介してボルト７５で締め付けて固定する。そして、他方の第２板面７１Ｂを梁材１０の下フランジ１０Ａの上面１０ｂに当接した状態で上板４１との間に第２スペーサ７３を挟持させて高力ボルト７４で締め付けることで、上部リニアスライダ４は梁材１０に対して摩擦接合によって固定される。
なお、第２スペーサ７３の厚みを変更することで、梁材１０と基礎スラブ１１との間の高さ寸法に合わせて免震支持ジャッキ装置３を配置することができる高さ調整機能をもたせることも可能である。
【００３５】
次に、図１及び図６（ｂ）に示すように、免震装置２の上部フランジ２１および下部フランジ２２のボルトを取り外し、既設の免震装置２を柱材１２と基礎スラブ１１の間から取り外す。
その後、図６（ｃ）に示すように別の免震装置２を取付部分Ｓ（図６（ｂ）参照）に固定する。新たに取り付ける免震装置２の上部フランジ２１および下部フランジ２２をボルトで固定することにより行われる。さらに、免震装置２の固定が完了した後、図３に示す免震支持ジャッキ装置３における摩擦接合治具７を取り外すとともに、支持ジャッキ６を縮減して梁材１０への下方からの支持力を解放（除荷）する。そして、図６（ｄ）に示すように、免震支持ジャッキ装置３を次に交換する免震装置２の箇所に移動し、同様の作業を順次行う。
【００３６】
なお、このような交換作業は、建物１の免震領域において、複数箇所で並行して行うことも可能であるし、建物１に設けられる全ての免震装置２を同時に行うようにしても良い。この場合には、免震装置２毎に２〜３台の免震支持ジャッキ装置３を配置することになるため、多くの免震支持ジャッキ装置３を用意する必要がある。この場合には、建物１の荷重を、免震装置２と免震支持ジャッキ装置３が混在した状態で交換されることがないので、上部構造を複数の免震支持ジャッキ装置３で同時に持ち上げることが可能となるので、安定した姿勢で上部構造を支持することができる。
【００３７】
上述のように本実施の形態による免震支持ジャッキ装置および免震装置の交換方法では、図２に示すように、梁材１０と基礎スラブ１１との間に免震支持ジャッキ装置３を介装させ、梁材１０に上部リニアスライダ４を固定し、基礎スラブ１１に下部滑り部を固定するとともに支持ジャッキ６を伸張させることで、当該免震支持ジャッキ装置３で梁材１０を含む上部構造の荷重が支持される。このとき、地震による水平力は上部リニアスライダ４および下部リニアスライダ５による水平２方向（第１水平方向Ｘおよび第２水平方向Ｙ）の滑りにより吸収され、免震支持ジャッキ装置３によって梁材１０を含む上部構造に免震性能をもたせることができる。しかも、支持ジャッキ６での水平抵抗力を小さく抑えることが可能となる。
【００３８】
具体的には、地震時に上部リニアスライダ４において上部リニアレール４２に上部リニアブロック４３が案内されて第１水平方向Ｘに滑り、かつ下部リニアスライダ５において下部リニアレール５２に下部リニアブロック５３が案内されて第２水平方向Ｙに滑ることで水平２方向の滑りが生じるため、地震時の水平力が上部構造に伝わらず、免震性能を確保することができる。
なお、上部リニアブロック４３および上部リニアレール４２の間と、下部リニアブロック５３および下部リニアレール５２の間には、滑動自在に転がり支持するベアリング（図示せず）を備えている。
【００３９】
したがって、交換する免震装置２の近傍に免震支持ジャッキ装置３を配置し、梁材１０を含む上部構造の荷重を支持することで、免震装置２を梁材１０と基礎スラブ１１との間から取り外した状態でも、前記上部構造の免震性能は免震支持ジャッキ装置３によって維持されることになる。つまり、梁材１０と基礎スラブ１１との間に介在される免震装置２を交換する際に地震が発生しても、前記上部構造は免震支持ジャッキ装置３によって免震された状態であり、免震装置２が配置される支承部分で地震の水平力を負担することがなく交換作業を行うことができる。
さらに、免震支持ジャッキ装置３を梁材１０と基礎スラブ１１との間で簡単に着脱することが可能となるので、作業効率を向上させることができ、交換作業時間の短縮を図ることができる。
【００４０】
また、本実施の形態では、上述したように免震支持ジャッキ装置３によって地震時の水平支持力が伝わりにくい構造となることから、上部構造に免震性能をもたせることが可能となるため、上部リニアスライダ４を梁材１０の下フランジ１０Ａに対して簡単な構造の摩擦接合治具７を用いた摩擦接合によって固定することができる。
【００４１】
また、本実施の形態では、基礎スラブ１１上に設けられるレベル調整板８の上面８ａが梁材１０の下フランジ１０Ａの下面１０ａと平行になるので、第１水平方向Ｘに滑り可能な上部リニアスライダ４と第２水平方向Ｙに滑り可能な下部リニアスライダ５とがそれぞれ平行に設置することができる。つまり、基礎スラブ１１の上面が水平レベルでない場合であっても、下部リニアスライダ５を第２水平方向Ｙに沿って水平レベルとなるように配置することができる。
【００４２】
このように本実施の形態の免震支持ジャッキ装置および免震装置の交換方法によれば、免震支承部分で水平力を負担させることなく作業を行うことができ、建物１の免震性能を維持した状態で免震装置２の交換作業を行うことができる。
【００４３】
以上、本発明による免震支持ジャッキ装置および免震装置の交換方法の実施の形態について説明したが、本発明は上記の実施の形態に限定されるものではなく、その趣旨を逸脱しない範囲で適宜変更可能である。
【００４４】
例えば、本実施の形態では、上部滑り部および下部滑り部として、それぞれベアリングを備えた上部リニアスライダ４および下部リニアスライダ５を使用しているが、これに限定されることはない。例えば、テフロン（登録商標）などの滑り材を用いた滑り支承であってもかまわない。
また、上部リニアスライダ４および下部リニアスライダ５の構成についても本実施の形態に限定されることはない。例えばリニアレール４２、５２の長さ寸法や本数、上板４１や下板５１との固定方法などは適宜設定することが可能である。例えば上部リニアスライダ４として、２本平行に延びる上部リニアレール４２と、これら上部リニアレール４２のそれぞれに沿って摺動する上部リニアブロック４３が設けられていても良い。
【００４５】
また、本実施の形態では免震支持ジャッキ装置３を取り付ける対象として、上部構造を梁材１０（柱材１２）とし、下部構造を基礎スラブ１１としているが、これに限定されることはない。
例えば、図７に示すように、上部構造の梁材が鉄筋コンクリート造（ＲＣ造）である場合であっても良い。この場合、上部リニアスライダ４の上板４１がモルタル材９を介してＲＣ造の梁材１３の下面１３ａに複数のアンカーボルト９１で固定されている。つまり、この場合には、上部リニアスライダ４および下部リニアスライダ５ともに同様の固定方法により上部構造および下部構造に着脱可能に固定されることになる。ここで、複数のアンカーボルト９１は、上部リニアレール４２を挟んだ両側において第１水平方向Ｘに沿って等間隔で配置されている。
【００４６】
また、摩擦接合治具についても本実施の形態のようなＬ形添接板７１を備えた構成に限定されることはない。例えば、第１スペーサ７２を省略したり、Ｌ形添接板７１と第２スペーサ７３とが一体に形成されていてもよい。
【００４７】
さらに、本実施の形態では、上部リニアスライダ４の長手方向（第１水平方向Ｘ）を梁材１０の材軸方向に向けて固定させているが、上部リニアスライダ４の向きが限定されるものではない。
さらにまた、レベル調整板８を省略して下部リニアスライダ５の下板５１を基礎スラブ１１に直接固定するようにしても良い。
【００４８】
その他、本発明の趣旨を逸脱しない範囲で、上記した実施の形態における構成要素を周知の構成要素に置き換えることは適宜可能である。
【符号の説明】
【００４９】
１  建物
２  免震装置
３  免震支持ジャッキ装置
４  上部リニアスライダ（上部滑り部）
５  下部リニアスライダ（下部滑り部）
６  支持ジャッキ
７  摩擦接合治具
８  レベル調整板
１０、１３  梁材（上部構造）
１０Ａ  下フランジ
１０Ｂ  ウェブ
１０ａ  下面
１０ｂ  上面
１１  基礎スラブ（下部構造）
４１  上板
４２  上部リニアレール（第１案内レール）
４３  上部リニアブロック（第１摺動ブロック）
５１  下板
５２  下部リニアレール（第２案内レール）
５３  下部リニアブロック（第２摺動ブロック）
７１  Ｌ形添接板
７２  第１スペーサ
７３  第２スペーサ
７４  高力ボルト
７５  ボルト
Ｘ  第１水平方向
Ｙ  第２水平方向
【図１】
0006432783.tif 000002
【図２】
0006432783.tif 000003
【図３】
0006432783.tif 000004
【図４】
0006432783.tif 000005
【図５】
0006432783.tif 000006
【図６】
0006432783.tif 000007
【図７】
0006432783.tif 000008